(57)【要約】【課題】粒子を正確に検出可能な粒子検出システムを提供する。【解決手段】粒子を含む流体から、粒子が濃縮された検査流体と排流体とを生成する濃縮器１３と、濃縮器１３に接続され、検査流体が流れるマイナー流路１４と、濃縮器に接続され、検査流体より流量が大きい排流体が流れるメジャー流路１７と、を備え、マイナー流路１４が、検査流体中の粒子を検出する粒子検出装置２２と、濃縮器１３及び粒子検出装置２２から検査流体を吸引する検査流体吸引機３０と、を備え、メジャー流路１７が、濃縮器１３から排流体を吸引する、検査流体吸引機３０より吸引圧力が弱い排流体吸引機７６を備え、マイナー流路１４を流れる検査流体の流量と、メジャー流路１７を流れる排流体の流量と、の合計流量が、所定の範囲内になるよう、排流体吸引機７６が、メジャー流路１７を流れる排流体の流量を調整する、粒子検出システム。【選択図】図１
2018077177.tif 000002
【特許請求の範囲】
【請求項１】
粒子を含む流体から、前記粒子が濃縮された検査流体と、排流体と、を生成する濃縮器と、
前記濃縮器に接続され、前記検査流体が流れるマイナー流路と、
前記濃縮器に接続され、前記検査流体より流量が大きい前記排流体が流れるメジャー流路と、
を備え、
前記マイナー流路が、
前記濃縮器に接続され、前記検査流体中の前記粒子を検出する粒子検出装置と、
前記粒子検出装置に接続され、前記濃縮器及び前記粒子検出装置から前記検査流体を吸引する検査流体吸引機と、
を備え、
前記メジャー流路が、前記濃縮器に接続され、前記濃縮器から前記排流体を吸引する、前記検査流体吸引機より吸引圧力が弱い排流体吸引機を備え、
前記マイナー流路を流れる前記検査流体の流量と、前記メジャー流路を流れる前記排流体の流量と、の合計流量が、所定の範囲内になるよう、前記排流体吸引機が、前記メジャー流路を流れる前記排流体の流量を調整する、
粒子検出システム。
【請求項２】
前記マイナー流路を流れる前記検査流体の流量と、前記メジャー流路を流れる前記排流体の流量と、の前記合計流量を算出する算出部をさらに備える、請求項１に記載の粒子検出システム。
【請求項３】
前記検査流体吸引機がポンプであり、前記排流体吸引機がファンである、請求項１又は２に記載の粒子検出システム。
【請求項４】
前記ポンプが、ダイアフラムポンプである、請求項３に記載の粒子検出システム。
【請求項５】
前記ポンプが、ロータリーベーンポンプである、請求項３に記載の粒子検出システム。
【請求項６】
前記ポンプが、リニアポンプである、請求項３に記載の粒子検出システム。
【請求項７】
前記ファンが、ターボファンである、請求項３に記載の粒子検出システム。
【請求項８】
前記ファンが、シロッコファンである、請求項３に記載の粒子検出システム。
【請求項９】
前記検査流体吸引機が、前記排流体吸引機より多数の吸引機構を備える、請求項１又は２に記載の粒子検出システム。
【請求項１０】
粒子を含む流体から、前記粒子が濃縮された検査流体と、排流体と、を濃縮器で生成することと、
前記濃縮器に接続されたマイナー流路に、前記検査流体が流れることと、
前記濃縮器に接続されたメジャー流路に、前記検査流体より流量が大きい前記排流体が流れることと、
を含み、
前記マイナー流路が、
前記濃縮器に接続され、前記検査流体中の前記粒子を検出する粒子検出装置と、
前記粒子検出装置に接続され、前記濃縮器及び前記粒子検出装置から前記検査流体を吸引する検査流体吸引機と、
を備え、
前記メジャー流路が、前記濃縮器に接続され、前記濃縮器から前記排流体を吸引する、前記検査流体吸引機より吸引圧力が弱い排流体吸引機を備え、
前記マイナー流路を流れる前記検査流体の流量と、前記メジャー流路を流れる前記排流体の流量と、の合計流量が、所定の範囲内になるよう、前記排流体吸引機が、前記メジャー流路を流れる前記排流体の流量を調整することをさらに含む、
粒子検出方法。
【発明の詳細な説明】
【技術分野】
【０００１】
本発明は環境評価技術に関し、特に粒子検出システム及び粒子検出方法に関する。
【背景技術】
【０００２】
バイオクリーンルーム等のクリーンルームにおいては、粒子検出装置を用いて、飛散している微生物粒子や非微生物粒子が検出され、記録される。粒子の検出結果から、クリーンルームの空調機器の劣化具合を把握可能である。また、クリーンルームで製造された製品に、参考資料として、クリーンルーム内の粒子の検出記録が添付されることもある。光学式の粒子検出装置は、例えば、クリーンルーム中の気体を吸引し、吸引した気体に励起光を照射する。気体に微生物粒子や非微生物蛍光粒子が含まれていると、励起光を照射された粒子が蛍光を発するため、気体に含まれる微生物粒子や非微生物蛍光粒子の数や大きさ等を検出することが可能となる（例えば、非特許文献１、２参照。）。また、クリーンルームを飛散する粒子は、通常、低濃度であるため、粒子を濃縮してから、粒子を検出することが提案されている（例えば、特許文献１参照。）。
【先行技術文献】
【特許文献】
【０００３】
【特許文献１】米国特許出願公開第２０１４／０３５４９７６号明細書
【非特許文献】
【０００４】
【非特許文献１】Sohn, Miryeong; Himmelsbach, David S.; Barton, Franklin E.; Fedorka-Cray, Paula J., "Fluorescence Spectroscopy for Rapid Detection and Classification of Bacterial Pathogens", 2009, Applied Spectroscopy, 63(11), 1251-1255
【非特許文献２】長谷川  倫男、山崎  信介、堀口  康子、「気中微生物リアルタイム検出技術とその応用」、株式会社 山武、azbil technical review、２００９年１２月
【発明の概要】
【発明が解決しようとする課題】
【０００５】
本発明は、粒子を正確に検出可能な粒子検出システム及び粒子検出方法を提供することを目的の一つとする。
【課題を解決するための手段】
【０００６】
本発明の態様によれば、（ａ）粒子を含む流体から、粒子が濃縮された検査流体と、排流体と、を生成する濃縮器と、（ｂ）濃縮器に接続され、検査流体が流れるマイナー流路と、（ｃ）濃縮器に接続され、検査流体より流量が大きい排流体が流れるメジャー流路と、を備え、マイナー流路が、（ｄ）濃縮器に接続され、検査流体中の粒子を検出する粒子検出装置と、（ｅ）粒子検出装置に接続され、濃縮器及び粒子検出装置から検査流体を吸引する検査流体吸引機と、を備え、メジャー流路が、（ｆ）濃縮器に接続され、濃縮器から排流体を吸引する、検査流体吸引機より吸引圧力が弱い排流体吸引機を備え、（ｇ）マイナー流路を流れる検査流体の流量と、メジャー流路を流れる排流体の流量と、の合計流量が、所定の範囲内になるよう、排流体吸引機が、メジャー流路を流れる排流体の流量を調整する、粒子検出システムが提供される。
【０００７】
上記の粒子検出システムが、マイナー流路を流れる検査流体の流量と、メジャー流路を流れる排流体の流量と、の合計流量を算出する算出部をさらに備えていてもよい。
【０００８】
上記の粒子検出システムにおいて、検査流体吸引機がポンプであり、排流体吸引機がファンであってもよい。
【０００９】
上記の粒子検出システムにおいて、ポンプが、ダイアフラムポンプであってもよい。
【００１０】
上記の粒子検出システムにおいて、ポンプが、ロータリーベーンポンプであってもよい。
【００１１】
上記の粒子検出システムにおいて、ポンプが、リニアポンプであってもよい。
【００１２】
上記の粒子検出システムにおいて、ファンが、ターボファンであってもよい。
【００１３】
上記の粒子検出システムにおいて、ファンが、シロッコファンであってもよい。
【００１４】
上記の粒子検出システムにおいて、検査流体吸引機が、排流体吸引機より多数の吸引機構を備えていてもよい。
【００１５】
また、本発明の態様によれば、（ａ）粒子を含む流体から、粒子が濃縮された検査流体と、排流体と、を濃縮器で生成することと、（ｂ）濃縮器に接続されたマイナー流路に、検査流体が流れることと、（ｃ）濃縮器に接続されたメジャー流路に、検査流体より流量が大きい排流体が流れることと、を含み、マイナー流路が、（ｄ）濃縮器に接続され、検査流体中の粒子を検出する粒子検出装置と、（ｅ）粒子検出装置に接続され、濃縮器及び粒子検出装置から検査流体を吸引する検査流体吸引機と、を備え、メジャー流路が、（ｆ）濃縮器に接続され、濃縮器から排流体を吸引する、検査流体吸引機より吸引圧力が弱い排流体吸引機を備え、（ｇ）マイナー流路を流れる検査流体の流量と、メジャー流路を流れる排流体の流量と、の合計流量が、所定の範囲内になるよう、排流体吸引機が、メジャー流路を流れる排流体の流量を調整することをさらに含む、粒子検出方法が提供される。
【発明の効果】
【００１６】
本発明によれば、粒子を正確に検出可能な粒子検出システム及び粒子検出方法を提供可能である。
【図面の簡単な説明】
【００１７】
【図１】実施の形態に係る粒子検出システムの模式図である。
【図２】実施の形態に係るターボファンの回転数と、吸引風量と、静圧と、の関係を示す模式的なグラフである。
【図３】実施の形態に係る粒子検出システムの模式図である。
【発明を実施するための形態】
【００１８】
以下に本発明の実施の形態を説明する。以下の図面の記載において、同一又は類似の部分には同一又は類似の符号で表している。ただし、図面は模式的なものである。したがって、具体的な寸法等は以下の説明を照らし合わせて判断するべきものである。また、図面相互間においても互いの寸法の関係や比率が異なる部分が含まれていることは勿論である。
【００１９】
実施の形態に係る粒子検出システムは、図１に示すように、粒子を含む流体から、粒子が濃縮された検査流体と、排流体と、を生成する濃縮器１３と、濃縮器１３に接続され、検査流体が流れるマイナー流路１４と、濃縮器１３に接続され、検査流体より流量が大きい排流体が流れるメジャー流路１７と、を備える。
【００２０】
マイナー流路１４は、濃縮器１３に接続され、検査流体中の粒子を検出する粒子検出装置２２と、粒子検出装置２２に接続され、濃縮器１３及び粒子検出装置２２から検査流体を吸引する検査流体吸引機３０と、を備える。メジャー流路１７は、濃縮器１３に接続され、濃縮器１３から排流体を吸引する、検査流体吸引機３０より吸引圧力が弱い排流体吸引機７６を備える。具体的には、排流体吸引機７６の静圧は、検査流体吸引機３０の静圧よりも弱い。なお、吸引機の吸引圧力は、吸引機全圧ともいわれ、吸引機の吐出口と吸引口の全圧の差で表される。また、吸引機の静圧は、吸引機全圧から、吸引機吐出口における動圧を引いた値で表される。
【００２１】
実施の形態に係る粒子検出システムにおいて、マイナー流路１４を流れる検査流体の流量と、メジャー流路１７を流れる排流体の流量と、の合計流量が、所定の範囲内になるよう、排流体吸引機７６が、メジャー流路１７を流れる排流体の流量を調整する。
【００２２】
通常、マイナー流路１４より多くの流体がメジャー流路１７を流れ、メジャー流路１７より少ない流体がマイナー流路１４を流れる。ただし、検査流体吸引機３０及び排流体吸引機７６が吸引を開始した直後、並びに検査流体吸引機３０及び排流体吸引機７６が吸引を停止する直前等には、メジャー流路１７より多くの流体がマイナー流路１４を流れる場合があり得る。
【００２３】
しかし、マイナー流路１４を流れる検査流体の流量と、メジャー流路１７を流れる排流体の流量と、の合計流量が、所定の範囲内になるよう、排流体吸引機７６が、メジャー流路１７を流れる排流体の流量を調整する際には、マイナー流路１４より多くの流体がメジャー流路１７を流れ、メジャー流路１７より少ない流体がマイナー流路１４を流れている。
【００２４】
粒子を含む流体は、例えばクリーンルーム２００等の清浄空間内の空気であるが、これに限定されない。クリーンルーム２００内には、流体を吸引するためのノズル１１が配置されている。ノズル１１と濃縮器１３の間には、チューブ等の流路１２が配置されている。検査流体吸引機３０及び排流体吸引機７６の少なくとも一方の吸引圧力によってノズル１１から吸引された流体は、流路１２を経て濃縮器１３に到達する。
【００２５】
濃縮器１３は、流体から、濃縮された検査対象の粒子を含む検査流体と、検査対象の粒子を実質的に含まない排流体と、を生成する。ただし、排流体は、検査対象の粒子を低濃度で含み得る。また、排流体は、検査対象以外の粒子を含み得る。検査流体の流れはマイナーフローとも呼ばれ、廃流体の流れはメジャーフローとも呼ばれる。濃縮器１３において、排流体が検査対象粒子を含まないようにすると、通常、メジャー流路１７の圧力損失のほうが、マイナー流路１４の圧力損失よりも大きくなる。濃縮器１３としては、カスケードインパクタ法を用いる分粒器、サイクロン法を用いる分粒器、及びバーチャルインパクタ法を用いる分粒器等が使用可能である。
【００２６】
濃縮器１３で生成された検査流体は、検査流体吸引機３０によって吸引され、マイナー流路１４が備える流路２１を経て粒子検出装置２２に到達する。粒子検出装置２２は、例えば検査流体の気流に光を照射し、光を照射された粒子で生じる散乱光や蛍光を検出して、粒子の数を計測する。
【００２７】
濃縮器１３で生成された検査流体の一部は、マイナー流路１４が備えるバイパス流路に送られる。バイパス流路は、流路２１から分岐する流路４１、及び流路４１に接続された吸引フィルター４２を備える。吸引フィルター４２は、検査流体から粒子を除去し、圧力調整用流体を生成する。検査流体に含まれる粒子が、後述するバイパス流量計４６の感度及び性能に影響しない場合、吸引フィルター４２は省略してもよい。
【００２８】
バイパス流路は、さらに、吸引フィルター４２に接続された流路４３、流路４３に接続されたスピードコントローラー４４、スピードコントローラー４４に接続された流路４５、及び流路４５に接続されたバイパス流量計４６を備える。スピードコントローラー４４は、バイパス流路を流れる圧力調整用流体の流速を調整する。バイパス流量計４６は、バイパス流路を流れる圧力調整用流体の流速及び流量を計測する。
【００２９】
バイパス流路は、さらに、バイパス流量計４６に接続された流路４７、流路４７に接続されたＨＥＰＡフィルター等の清浄フィルター４８、及び清浄フィルター４８と粒子検出装置２２の間に接続された流路４９を備える。清浄フィルター４８は、吸引フィルター４２を通過した粒子や、スピードコントローラー４４及びバイパス流量計４６等で生じうる塵等を圧力調整用流体から除去する。
【００３０】
バイパス流路を経て粒子検出装置２２に到達した圧力調整用流体は、粒子検出装置２２内の圧力を調整し、粒子検出装置２２内の検査流体の気流の拡散を抑制する。圧力調整用流体が粒子等を含むと、粒子検出装置２２が検出する粒子の数や濃度に誤差が生じうる。そのため、圧力調整用流体は、清浄フィルター４８でろ過される。
【００３１】
流路２１を備える検査流路を流れる流体の流量と、バイパス流路を流れる流体の流量と、の分岐比は、所定の値に設定される。スピードコントローラー４４は、例えば、吸引フィルター４２、バイパス流量計４６、及び清浄フィルター４８の圧力損失が低く、所定の分岐比を設定できない場合に用いられる。分岐比の所定の値は、粒子検出装置２２内の光の照射領域、及び散乱光又は蛍光の受光領域の大きさに応じて、適宜設定される。
【００３２】
マイナー流路１４は、粒子検出装置２２に接続された流路２３、流路２３に接続された吸引フィルター２４、吸引フィルター２４に接続された流路２５、流路２５に接続された検査流体流量計２６、検査流体流量計２６に接続された流路２７、流路２７に接続されたスピードコントローラー２８、及びスピードコントローラー２８に接続された流路２９をさらに備える。
【００３３】
粒子検出装置２２内を通過した流体は、流路２３、吸引フィルター２４、流路２５、検査流体流量計２６、流路２７、スピードコントローラー２８、及び流路２９を介して、検査流体吸引機３０によって吸引される。
【００３４】
吸引フィルター２４は、流体から粒子を除去する。粒子検出装置２２内を通過した流体に含まれる粒子が、検査流体流量計２６の感度及び性能に影響しない場合、吸引フィルター２４は省略してもよい。検査流体流量計２６は、粒子検出装置２２を通過した、検査流体吸引機３０が吸引する流体の流速及び流量を計測する。検査流体流量計２６が計測した流量は、マイナー流路１４を流れる流体の流量とみなすことができる。スピードコントローラー２８は、粒子検出装置２２を通過する流体の流速を調整する。スピードコントローラー２８は、省略してもよい。
【００３５】
検査流体吸引機３０としては、ポンプ等が使用可能である。ポンプの例としては、ダイアフラムポンプ、ロータリーベーンポンプ、リニアポンプ、及び真空ポンプが挙げられるが、これらに限定されない。マイナー流路１４は、検査流体吸引機３０に接続された流路３１、流路３１に接続された清浄フィルター３２、及び清浄フィルター３２に接続された流路３３をさらに備える。検査流体吸引機３０から排出される流体は、検査流体吸引機３０に接続された流路３１、流路３１に接続された清浄フィルター３２、及び清浄フィルター３２に接続された流路３３を介して、外部に排出される。なお、流体が有害物質等を含まない場合は、清浄フィルター３２を省略してもよい。
【００３６】
制御部１０１Ａは、検査流体流量計２６から流量を示す電流又は電圧信号を受け取り、検査流体吸引機３０の回転数又は吸引圧力を制御する制御信号を検査流体吸引機３０に送る。制御部１０１Ａは、例えば、ＰＩＤ制御により、検査流体吸引機３０を制御する。
【００３７】
メジャー流路１７は、濃縮器１３に接続された流路７１、流路７１に接続された吸引フィルター７２、吸引フィルター７２に接続された流路７３、流路７３に接続された排流体流量計７４、及び排流体流量計７４に接続された流路７５を備える。濃縮器１３で生成された排流体は、流路７１、吸引フィルター７２、流路７３、排流体流量計７４、及び流路７５を介して、排流体吸引機７６によって吸引される。
【００３８】
吸引フィルター７２は、流体から粒子を除去する。廃流体に含まれる粒子が、排流体流量計７４の感度及び性能に影響しない場合、吸引フィルター７２は省略してもよい。排流体流量計７４は、排流体吸引機７６が吸引する流体の流速及び流量を計測する。排流体流量計７４が計測した流量は、メジャー流路１７を流れた流体の流量とみなすことができる。
【００３９】
検査流体吸引機３０がポンプである場合、排流体吸引機７６としては、ポンプよりも吸引圧力が弱いファン等が使用可能である。ファンの例としては、ターボファン及びシロッコファンが挙げられるが、これらに限定されない。なお、吸引圧力が検査流体吸引機３０より低ければ、排流体吸引機７６としてポンプを使用してもよい。メジャー流路１７は圧力損失が大きいため、検査流体吸引機３０の回転数は高くなる傾向にある。
【００４０】
メジャー流路１７は、排流体吸引機７６に接続された流路７７、流路７７に接続された清浄フィルター７８、及び清浄フィルター７８に接続された流路７９をさらに備える。排流体吸引機７６から排出される流体は、排流体吸引機７６に接続された流路７７、流路７７に接続された清浄フィルター７８、及び清浄フィルター７８に接続された流路７９を介して、外部に排出される。なお、流体が有害物質等を含まない場合は、清浄フィルター７８を省略してもよい。
【００４１】
制御部１０１Ｂは、排流体流量計７４から流量を示す電流又は電圧信号を受け取り、排流体吸引機７６の回転数又は吸引圧力を制御する制御信号を排流体吸引機７６に送る。制御部１０１Ｂは、例えば、ＰＩＤ制御により、排流体吸引機７６の回転数や吸引量を制御する。
【００４２】
実施の形態に係る粒子検出システムは、検査流体流量計２６が計測した流量と、排流体流量計７４が計測した流量と、の合計流量を算出する算出部１０２をさらに備える。算出部１０２は、例えばコンピューターに含まれている。算出部１０２は、検査流体流量計２６から直接流量の情報を受け取ってもよいし、制御部１０１Ａを介して、流量の情報を受け取ってもよい。また、算出部１０２は、排流体流量計７４から直接流量の情報を受け取ってもよいし、制御部１０１Ｂを介して、流量の情報を受け取ってもよい。
【００４３】
ここで、粒子検出装置２２が流体の体積当たりの粒子数を正確に計数するためには、濃縮器１３に吸引される流体の流量が、所定の範囲内にあることが好ましい。濃縮器１３に吸引される流体の流量は、マイナー流路１４を流れる検査流体の流量と、メジャー流路１７を流れる排流体の流量と、の合計流量に相当する。また、マイナー流路１４を流れる検査流体の流量は、検査流体流量計２６が計測した流量に相当する。メジャー流路１７を流れる排流体の流量は、排流体流量計７４が計測した流量に相当する。
【００４４】
算出部１０２には出力装置１０３が接続されていてもよい。検査流体流量計２６が計測した流量と、排流体流量計７４が計測した流量と、の合計流量が所定の範囲外となった場合、出力装置１０３は警告を発する。また、出力装置１０３は、検査流体流量計２６が計測した流量と、排流体流量計７４が計測した流量と、のそれぞれを出力してもよい。
【００４５】
算出部１０２は、合計流量が、所定の範囲よりも多い場合、制御部１０１Ｂを介して、排流体吸引機７６の吸引風量を低下させ、マイナー流路１４を流れる検査流体の流量と、メジャー流路１７を流れる排流体の流量と、の合計流量が、所定の範囲内になるようにする。また、算出部１０２は、合計流量が、所定の範囲よりも少ない場合、制御部１０１Ｂを介して、排流体吸引機７６の吸引風量を増加させ、マイナー流路１４を流れる検査流体の流量と、メジャー流路１７を流れる排流体の流量と、の合計流量が、所定の範囲内になるようにする。
【００４６】
マイナー流路１４を流れる検査流体の流量と、メジャー流路１７を流れる排流体の流量と、の合計流量が、所定の範囲内になるよう、排流体吸引機７６が、メジャー流路１７を流れる排流体の流量を調整している間、検査流体吸引機３０の駆動エネルギーは例えば一定に保たれる。
【００４７】
図２は、ターボファンの回転数と、吸引風量と、静圧と、の関係を示す模式的なグラフである。図１に示す制御部１０１Ｂは、目標とする吸引風量と、メジャー流路１７の圧力損失に応じて、排流体吸引機７６の回転数を決定する。
【００４８】
メジャー流路１７を流れる排流体の流量は、マイナー流路１４を流れる検査流体の流量よりも多いため、メジャー流路１７を流れる排流体の流量の調整幅は大きい。一方、排流体吸引機７６の静圧は、検査流体吸引機３０の静圧よりも弱いため、排流体吸引機７６によってメジャー流路１７を流れる排流体の流量を増減させても、メジャー流路１７内の内圧の変化量は小さい。さらに、マイナー流路１４を流れる検査流体は、排流体吸引機７６より静圧の強い検査流体吸引機３０で吸引されている。そのため、マイナー流路１４内の内圧は、メジャー流路１７内の内圧の変化の影響を受けにくい。そのため、排流体吸引機７６の吸引風量が変化しても、マイナー流路１４内の内圧の変化量は小さくなる。
【００４９】
仮に、排流体吸引機の静圧が、検査流体吸引機の静圧よりも強い場合、排流体吸引機によってメジャー流路を流れる排流体の流量を増減させると、メジャー流路内の内圧の変化量が大きくなる。さらに、検査流体吸引機の静圧が、排流体吸引機の静圧よりも弱い場合、マイナー流路内の内圧は、メジャー流路内の内圧の変化の影響を受けやすくなる。そのため、排流体吸引機の吸引風量が変化すると、マイナー流路内の内圧の変化量が大きくなる。
【００５０】
マイナー流路１４内の内圧が変動すると、マイナー流路１４内で検査流体の逆流が生じ得る。マイナー流路１４内で検査流体の逆流が生じると、粒子検出装置２２で一度検出された下流の粒子が、粒子検出装置２２で再び検出され、粒子の計数に誤りが生じうる。これに対し、実施の形態に係る粒子検出システムにおいては、マイナー流路１４内の内圧の変動が抑制されるため、粒子検出装置２２で粒子を正確に計数することが可能である。
【００５１】
上記のように本発明を実施の形態によって記載したが、この開示の一部をなす記述及び図面はこの発明を限定するものであると理解するべきではない。この開示から当業者には様々な代替実施の形態、実施例及び運用技術が明らかになるはずである。
【００５２】
例えば、粒子検出システムにおいて、図３に示すように、検査流体吸引機３０Ａ、３０Ｂが、排流体吸引機７６より多数の吸引機構を備えていてもよい。検査流体吸引機３０Ａ、３０Ｂと、排流体吸引機７６と、が、それぞれ、同じ最大吸引圧力を有するファンであってもよい。検査流体吸引機３０Ａ、３０Ｂが２台ある場合、検査流体吸引機３０Ａ、３０Ｂの合計最大吸引圧力は、排流体吸引機７６の最大吸引圧力の２倍になる。制御部１０１Ａは、検査流体吸引機３０Ａ、３０Ｂに同じ制御信号を送ってもよいし、別々の制御信号を送ってもよい。
【００５３】
例えば、下流側の検査流体吸引機３０Ｂの吸引圧力を最大にして、上流側の検査流体吸引機３０Ａの吸引圧力を調整して、マイナー流路１４を流れる検査流体の流量を調整してもよい。上流側の検査流体吸引機３０Ａの吸引圧力を最大にすると、上流側の検査流体吸引機３０Ａで生じた熱が、下流側の検査流体吸引機３０Ｂに影響を与える場合があり得る。
【００５４】
図１に示す検査流体吸引機３０にポンプを用いて脈動が生じる場合、図３に示すように、複数のファンである検査流体吸引機３０Ａ、３０Ｂを用いると、脈動を抑制しつつ、高い吸引圧力を得ることが可能になる。このように、本発明はここでは記載していない様々な実施の形態等を包含するということを理解すべきである。
【符号の説明】
【００５５】
１１・・・ノズル、１２、２１、２３、２５、２７、２９、３１、３３、４１、４３、４５、４７、４９、７１、７３、７５、７７、７９・・・流路、１３・・・濃縮器、１４・・・マイナー流路、１７・・・メジャー流路、２２・・・粒子検出装置、２４、４２、７２・・・吸引フィルター、２６・・・検査流体流量計、２８、４４・・・スピードコントローラー、３０、３０Ａ、３０Ｂ・・・検査流体吸引機、３２、４８、７８・・・清浄フィルター、４６・・・バイパス流量計、７４・・・排流体流量計、７６・・・排流体吸引機、１０１Ａ、１０１Ｂ・・・制御部、１０２・・・算出部、１０３・・・出力装置、２００・・・クリーンルーム
【図１】
2018077177.tif 000003
【図２】
2018077177.tif 000004
【図３】
2018077177.tif 000005